(57)【要約】    【課題】発酵させた籾殻を含有する植生用培養土に関し、籾殻の有効利用を図るという従来の利点を維持しつつ、しかもコストを増大させることなく植物の生育環境に適した植生用培養土を提供することを課題とする。  【解決手段】発酵させた籾殻と、コンクリートスラッジの乾燥粉砕物とが含有されていることを特徴とする。【選択図】なし【特許請求の範囲】
【請求項１】
発酵させた籾殻と、コンクリートスラッジの乾燥粉砕物とが含有されていることを特徴とする植生用培養土。
【請求項２】
コンクリートスラッジの乾燥粉砕物が、コンクリート工場から発生したコンクリート乾燥粉砕物である請求項１記載の植生用培養土。
【請求項３】
コンクリートスラッジの乾燥粉砕物の含有量が、発酵させた籾殻１００重量部に対して０．１〜２０重量部である請求項１又は２記載の植生用培養土。
【請求項４】
塩化カリウムがさらに含有されている請求項１乃至３のいずれかに記載の植生用培養土。
【請求項５】
塩化カリウムが、セメント製造設備から回収されたものである請求項１乃至４のいずれかに記載の植生用培養土。
【請求項６】
塩化カリウムの含有量が、発酵させた籾殻１００重量部に対して０．１〜５０重量部である請求項１乃至５のいずれかに記載の植生用培養土。
【発明の詳細な説明】
【技術分野】
【０００１】
本発明は、植生用培養土、さらに詳しくは、発酵させた籾殻を含有する植生用培養土に関する。
【背景技術】
【０００２】
籾殻は、農業用廃棄物として多量に発生し、従来からその有効利用が検討されているが、コストや品質の問題から、そのまま土壌等に廃棄されているのが現状である。そこで、このような籾殻の有効利用を図るために、籾殻を発酵させて活性を高めた発酵籾殻も製品化されており、培養土に含有させる等での利用が図られている。
【０００３】
このような発酵籾殻を含有させた培養土に関する技術として、従来では、たとえば下記特許文献１及び特許文献２のような特許出願がなされている。特許文献１に係る発明は、通気を行いつつ、好気性高温菌により発酵処理した発酵籾殻と、所定の山土とを１対３ないし３対１に混合し、必要に応じて肥料添加等を行い、これを乾燥して培養土とした培養土の製造方法に係るものである。
【０００４】
また、特許文献２に係る発明は、土壌、腐植、堆肥資材、コンポスト等の培養基材と、米糠、ウグイスの糞、アルブチン、コウジ酸、植物エキス等からなる肌荒れ防止剤を所定の割合で混合した植物栽培用培養土に係るものであり、この培養基材と肌荒れ防止剤以外の成分として、籾殻を含有させることを開示するものである。
【０００５】
しかし、製品化された発酵籾殻は、単体では酸性を示しており、植物に対する最適ｐＨである６．０〜７．０にするために、消石灰等を加える必要がある。そして、このような消石灰等を加えることで、培養土のコストが増大することにもなる。
【０００６】
【特許文献１】特公昭６２−６２１２５号公報
【特許文献２】特開２００２−８４８８１号公報
【発明の開示】
【発明が解決しようとする課題】
【０００７】
本発明は、このような問題点を解決するためになされたもので、籾殻の有効利用を図るという従来の利点を維持しつつ、しかもコストを増大させることなく植物の生育環境に適した植生用培養土を提供することを課題とする。
【０００８】
また本発明のより具体的な課題は、農業用廃棄物である籾殻の有効利用を図るだけでなく、他の産業廃棄物の有効利用をも図ることのできる植生用培養土を提供することを課題とする。
【課題を解決するための手段】
【０００９】
本発明は、このような課題を解決するために、発酵させた籾殻と、コンクリートスラッジの乾燥粉砕物とが含有されていることを特徴とする植生用培養土を提供するものである。コンクリートスラッジの乾燥粉砕物としては、コンクリート工場から発生したコンクリート乾燥粉砕物を用いることが望ましい。また、コンクリートスラッジの乾燥粉砕物の含有量は、発酵させた籾殻１００重量部に対して０．１〜２０重量部であることが望ましい。
【００１０】
本発明の植生用培養土には、上記のような発酵させた籾殻と、コンクリートスラッジの乾燥粉砕物の他に、さらに塩化カリウムを含有させることができる。塩化カリウムとしては、セメント製造設備から回収されたものを用いることが望ましい。また、塩化カリウムの含有量は、発酵させた籾殻１００重量部に対して０．１〜５０重量部であることが望ましい。
【発明の効果】
【００１１】
本発明は、上述のように、発酵させた籾殻と、コンクリートスラッジの乾燥粉砕物とを植生用培養土に含有させたものであるため、発酵させた籾殻が単体では酸性を示すものであるにもかかわらず、コンクリートスラッジの乾燥粉砕物を含有させることで、植生用培養土の全体のｐＨを好適に調整することができ、そのようなｐＨ調整のために、従来のような消石灰等の添加を行う必要もなく、従って培養土のコストが増大することがないという効果がある。
【００１２】
また、コンクリートスラッジの乾燥粉砕物を含有させることで、培養土にカルシウムを補給させることもでき、このカルシウム補給の観点からも消石灰等の添加が不要となって、培養土のコストの増大を抑制することができる。
【００１３】
さらに、コンクリートスラッジの乾燥粉砕物として、コンクリート工場から発生したコンクリート乾燥粉砕物を用いた場合には、農業用廃棄物である籾殻の有効利用を図ることができるだけでなく、産業廃棄物であるコンクリート乾燥粉砕物の有効利用も同時に図ることができるという効果がある。
【００１４】
さらに、発酵させた籾殻と、コンクリートスラッジの乾燥粉砕物の他に、塩化カリウムを含有させた場合には、カリウムの補給効果も得られることとなる。特に、塩化カリウムとして、セメント製造設備工場から回収されたものを用いる場合には、塩化カリウムについてもセメント製造設備からの廃棄物を用いることができるので、籾殻、コンクリートスラッジ、及び塩化カリウムの３者の含有成分をすべて廃棄物で構成することができ、各廃棄物の有効利用によって、安価で高付加価値のある培養土の製品を提供することができるという効果がある。
【発明を実施するための最良の形態】
【００１５】
本発明の植生用培養土は、上述のように、発酵させた籾殻と、コンクリートスラッジの乾燥粉砕物とを少なくとも含有させたものである。籾殻を発酵させる手段は問うものではないが、高温で発酵処理したものを用いることが好ましい。たとえば、すでに高温で発酵処理された市販の発酵籾殻のようなものを使用することができる。ここで、「発酵させた」とは、炭水化物が微生物によって嫌気的条件下で分解される狭義の発酵を意味するのではなく、有機物質が微生物によって分解される広義の発酵を意味する。従って、好気的条件下で微生物によって分解される場合も含むものである。また、本発明において「発酵させた籾殻」は、微生物によって分解されている程度のいかんを問うものではなく、また発酵させていない籾殻と外観上区別できる状態であることが要求されるものではないが、発酵させた籾殻単体で酸性を示している必要がある。
【００１６】
また、コンクリートスラッジの乾燥粉砕物としては、たとえば生コンクリート工場やコンクリート二次製品工場から発生したコンクリート乾燥粉砕物のようなものを用いることができる。コンクリートスラッジは、たとえば粒径０．６〜２．５ｍｍ程度の粒状のものや、粒径０．６ｍｍ以下の粉末状のもの等を使用することができる。
【００１７】
コンクリートスラッジの乾燥粉砕物と発酵させた籾殻との配合比は、植物の生育に適したｐＨに調整し、好適な量のカルシウムを補給する等の観点から、発酵させた籾殻１００重量部に対してコンクリートスラッジの乾燥粉砕物が０．１〜２０重量部であることが望ましい。
【００１８】
さらに、発酵させた籾殻、及びコンクリートスラッジの乾燥粉砕物とは別に、塩化カリウムを含有させることも可能である。塩化カリウムとしては、たとえばセメント製造設備から回収されたようなものを用いることができる。より具体的には、セメント製造設備における塩素バイパスシステムにおいて、燃焼ガスの一部を抽気し、急冷等することによって、塩としての塩化カリウムを含む粉体を回収することができる。
【００１９】
さらに、塩化カリウムと発酵させた籾殻との配合比は、好適な量のカリウムを補給する観点から、発酵させた籾殻１００重量部に対して塩化カリウムが０．１〜５０重量部であることが望ましい。また塩化カリウムは、たとえば粒径０．６〜２．５ｍｍ程度の粒状のものや、粒径０．６ｍｍ以下の粉末状のもの等を使用することができる。
【００２０】
上記のように発酵させた籾殻、コンクリートスラッジの乾燥粉砕物、塩化カリウムを含有させた培養土の全体として、ｐＨは６．０〜７．０に調整されることが望ましい。
ｐＨを６．０〜７．０に調整する観点からは、上記塩化カリウムとしては、ｐＨが６．０〜６．８程度の塩化カリウムを用いるのが望ましく、また発酵させた籾殻１００重量部に対して塩化カリウムの量を１０〜４０重量部とすることが望ましい。尚、本発明における「塩化カリウム」には、たとえば後述の実施例のようにセメント製造設備の塩素バイパスシステムから回収したもの、或いは試薬として一般に販売されているもののように、ＫやＣｌ以外の微量の元素を不純物として含有するようなものも含むことを意味する。
【００２１】
原料である発酵籾殻と生コンクリート乾燥粉砕物と塩化カリウムは、それぞれのサイロに充填し、雨風の遮断できる状況下にしておくことが望ましい。混合機は、粉粒体の混合に、一般的に使用される混合機（たとえば太平洋機工株式会社製のプロシェアミキサ等）を使用して、所定の配合比に均一に混合することができる。
【００２２】
この混合方法は、発酵籾殻の軽量性、飛散性を考慮し、発酵籾殻を混合機に投入した後、生コンクリート乾燥粉砕物及び塩化カリウムを順次添加し、或いは生コンクリート乾燥粉砕物及び塩化カリウムを予め混合した状態で発酵籾殻に添加し、この混合物を培養土とするものである。
【００２３】
尚、塩化カリウムに代えて、硫酸カリウム、炭酸カリウム、硝酸カリウム等を使用することもできる。
【実施例】
【００２４】
以下、本発明の実施例について説明する。
【００２５】
（実施例１）
発酵籾殻として、モミライト（商品名［株式会社ホーネンアグリ製］）を用いた。このモミライトの主要成分含有量は、窒素全量１．０３重量％、リン酸全量０．６９重量％、カリ全量０．４５重量％である。
【００２６】
この発酵籾殻に対して、比表面積３０００ｃｍ2／ｇ（空気透過式比表面積計にて測定）の生コンクリートスラッジの乾燥粉砕物と、セメント製造設備の塩素バイパスシステムから回収した塩化カリウム（Ｋ：４９９０００ｍｇ／ｋｇ、Ｎａ：１８５０ｍｇ／ｋｇ、Ｃｌ：４２１０００ｍｇ／ｋｇ）を混合して用いた。
【００２７】
尚、この塩素バイパスシステムからの回収物は、セメント製造設備における塩素バイパスシステムにおいて、燃焼ガスの一部を抽気し、急冷等することによって、塩としての塩化カリウムを含む粉体として回収したものであるので、塩化カリウムの構成元素であるＫ及びＣｌの他に、不純物として微量のＮａを含むものである。
【００２８】
発酵籾殻と、生コンクリートスラッジ乾燥粉砕物、塩化カリウムとの配合比は、発酵籾殻９９重量部に対して、生コンクリートスラッジ乾燥粉砕物１重量部、塩化カリウム２０重量部とした。
【００２９】
このようにして得られた培養土のｐＨを測定したところ、６．５１であった。植物の生育に適したｐＨは、６．０〜７．０程度であると認められるので、本実施例では、植物の生育に適した培養土を調製することができたといえる。
【００３０】
ちなみに、本実施例で用いたセメント製造設備の塩素バイパスシステムから回収した塩化カリウム（Ｋ：４９９０００ｍｇ／ｋｇ、Ｎａ：１８５０ｍｇ／ｋｇ、Ｃｌ：４２１０００ｍｇ／ｋｇ）のｐＨは６．０であった。